(57)【要約】【課題】本考案は、キッチンの通気性と、採光性と、開放性と、を確保することができるとともに、前記キッチンに隣接するリビング・ダイニングへの熱・臭気の流出の軽減を図った集合住宅の間取り構造を提供することを目的とする。【解決手段】集合住宅の間取り構造１は、バルコニーＢ１に面したリビング・ダイニングＬＤと、前記バルコニーＢ１に面するように前記リビング・ダイニングＬＤに並設されているとともに、前記リビング・ダイニングＬＤから前記バルコニーＢ１側に張り出したキッチンＫと、を備えている。前記キッチンＫの前記リビング・ダイニングＬＤから離れた側の隣宅との間には、躯体壁１Ｂが設けられ、前記躯体壁１Ｂに連続し、前記キッチンＫの前記リビング・ダイニングＬＤから張り出した複数の壁１Ｅ、１Ｆそれぞれには、開口部Ｗ３、Ｗ４が設けられている。【選択図】図１
0003163741.tif 000002
【実用新案登録請求の範囲】
【請求項１】
バルコニーに面したリビング・ダイニングと、
前記バルコニーに面するように前記リビング・ダイニングに並設されているとともに、前記リビング・ダイニングから前記バルコニー側に張り出したキッチンと、を備えた集合住宅の間取り構造であって、
前記キッチンの前記リビング・ダイニングから離れた側の隣宅との間には、躯体壁が設けられ、
前記躯体壁に連続し、前記キッチンの前記リビング・ダイニングから張り出した複数の壁それぞれには、開口部が設けられている
ことを特徴とする集合住宅の間取り構造。
【請求項２】
前記複数の壁のうち少なくとも一つの壁に面した位置に、調理スペースが設けられていることを特徴とする請求項１に記載の集合住宅の間取り構造。
【考案の詳細な説明】
【技術分野】
【０００１】
本考案は、集合住宅の間取り構造に係り、キッチンの通気性と、採光性と、開放性と、を確保することができるとともに、前記キッチンに隣接するリビング・ダイニングへの熱・臭気の流出の軽減を図った集合住宅の間取り構造に関するものである。
【背景技術】
【０００２】
図２は、従来のマンション等の集合住宅の「横長リビング・ダイニングＬＤタイプ」を示す平面図である。図３は、従来のマンション等の集合住宅の「縦長リビング・ダイニングＬＤタイプ」を示す平面図である。図４は、従来のマンション等の集合住宅の「バルコニーキッチンタイプ」を示す平面図である。図２、図３、図４に示すように、マンション等の集合住宅には、例えば、建物の構造体となる鉄骨柱などの一対の支持柱１０１Ａと、各支持柱１０１Ａに支持される一対の躯体壁１０１Ｂ間に、各住宅１１０が設けられている。各住宅１１０は、平面形状が矩形状に形成されており、前記一対の支持柱１０１Ａ間が短手方向（幅方向）となるよう設けられている。また、住宅１１０の短手方向の両端には、隣宅が設けられている。即ち、住宅１１０は、角部屋ではない。
【０００３】
図２、図３に示された「横長リビング・ダイニングＬＤタイプ」「縦長リビング・ダイニングＬＤタイプ」の各住宅１１０には、例えば、太陽光が差し込む位置にバルコニーＢが形成されている。このバルコニーＢは、前記一対の躯体壁１０１Ｂを連結する連結外壁１０１Ｃの外側に設けられ、前記連結外壁１０１Ｃの内側には、リビング・ダイニングＬＤが設けられている。即ち、リビング・ダイニングＬＤは、前記バルコニーＢに面している。また、リビング・ダイニングＬＤの、前記バルコニーＢから離れた（奥）側には、キッチンＫが設けられている。前記キッチンＫには、躯体壁１０１Ｂを介して隣宅が設けられているので、窓を設けることができず、当該キッチンＫは、あんどん部屋となっている。
【０００４】
また、図４に示された「バルコニーキッチンタイプ」の住宅１１０には、例えば、太陽光が差し込む位置にバルコニーＢが形成されており、このバルコニーＢは、前記一対の躯体壁１０１Ｂを連結する連結外壁１０１Ｃの外側に設けられ、前記連結外壁１０１Ｃの内側には、リビング・ダイニングＬＤ、及び、キッチンＫが設けられている。これらリビング・ダイニングＬＤ、と、キッチンＫとは、前記短手方向に沿って並ぶ位置に設けられており、これらリビング・ダイニングＬＤ、と、キッチンＫとは、前記バルコニーＢに面している。また、前記連結外壁１０１Ｃには、前記キッチンＫと前記バルコニーＢとを行き来するための１つのアルミドアＤが設けられている。（例えば、特許文献１を参照）。
【先行技術文献】
【特許文献】
【０００５】
【特許文献１】特開２００２−３２２８１９号公報
【考案の概要】
【考案が解決しようとする課題】
【０００６】
しかしながら、上述した従来の集合住宅の間取り構造１０１においては、以下に示す問題があった。即ち、図２、図３に示された、間取り構造１０１では、前記キッチンＫに開口部としての窓を設けることができず、また、図４に示された、間取り構造１０１では、前記連結外壁１０１Ｃに、前記キッチンＫと前記バルコニーＢとを行き来するための１つのアルミドアＤが設けられているが、従来の間取り構造１０１においては、アルミドアＤが１つしか設けられていないとともに、当該１つのアルミドアＤは、前記住宅１１０の短手方向に沿って設けられており、前記キッチンＫに設けられる開口部（アルミドアＤ）としては、その開口幅を十分にとることができず、よって、十分な通風をえることができず、そのために、前記キッチンＫから発生する熱・臭気が吹き抜けることができずに、当該キッチンＫに前記熱・臭気がこもってしまう問題があった。
【０００７】
さらに、前記キッチンＫからの熱・臭気は、当該キッチンＫと隣接するリビング・ダイニングＬＤにも流出してしまい、居住者に不快感を与えてしまう虞れがあった。
【０００８】
そこで、本考案は、キッチンの通気性と、採光性と、開放性と、を確保することができるとともに、前記キッチンに隣接するリビング・ダイニングへの熱・臭気の流出の軽減を図った集合住宅の間取り構造を提供することを目的とする。
【課題を解決するための手段】
【０００９】
請求項１に記載の本考案は、バルコニーに面したリビング・ダイニングと、前記バルコニーに面するように前記リビング・ダイニングに並設されているとともに、前記リビング・ダイニングから前記バルコニー側に張り出したキッチンと、を備えた集合住宅の間取り構造であって、前記キッチンの前記リビング・ダイニングから離れた側の隣宅との間には、躯体壁が設けられ、前記躯体壁に連続し、前記キッチンの前記リビング・ダイニングから張り出した複数の壁それぞれには、開口部が設けられていることを特徴とする。
【００１０】
請求項２に記載の本考案は、請求項１に記載の本考案において、前記複数の壁のうち少なくとも一つの壁に面した位置に、調理スペースが設けられていることを特徴とする。
【考案の効果】
【００１１】
請求項１に記載の本考案によれば、バルコニーに面したリビング・ダイニングと、前記バルコニーに面するように前記リビング・ダイニングに並設されているとともに、前記リビング・ダイニングから前記バルコニー側に張り出したキッチンと、を備えた集合住宅の間取り構造であって、前記キッチンの前記リビング・ダイニングから離れた側の隣宅との間には、躯体壁が設けられ、前記躯体壁に連続し、前記キッチンの前記リビング・ダイニングから張り出した複数の壁それぞれには、開口部が設けられていることで、前記キッチンの通気性と、採光性と、開放性と、を確保することができるとともに、当該キッチンに隣接するリビング・ダイニングへの熱・臭気の流出の軽減を図ることができる。
【００１２】
請求項２に記載の本考案によれば、前記複数の壁のうち少なくとも一つの壁に面した位置に、調理スペースが設けられているので、前記調理スペースを使用する使用者の正面に前記開口部が設けられていることとなり、よって、前記使用者が快適に前記キッチンを使用することができる。
【図面の簡単な説明】
【００１３】
【図１】本考案の一実施の形態にかかる集合住宅の間取り構造を示す平面図である。
【図２】従来のマンション等の集合住宅の「横長リビング・ダイニングＬＤタイプ」を示す平面図である。
【図３】従来のマンション等の集合住宅の「縦長リビング・ダイニングＬＤタイプ」を示す平面図である。
【図４】従来のマンション等の集合住宅の「バルコニーキッチンタイプ」を示す平面図である。
【考案を実施するための形態】
【００１４】
以下、本考案の一実施の形態にかかる集合住宅の間取り構造１を、図１に基づいて説明する。図１に示された集合住宅の間取り構造１は、メインバルコニーＢ１に面したリビング・ダイニングＬＤと、前記メインバルコニーＢ１に面するように前記リビング・ダイニングＬＤに並設されているとともに、前記リビング・ダイニングＬＤから前記メインバルコニーＢ１側（南方）に張り出したキッチンＫと、を備えている。
【００１５】
また、本考案の一実施の形態にかかる住宅１０は、前記キッチンＫの前記リビング・ダイニングＬＤから離れた側（西方）に隣宅が設けられた、角部屋であり、前記集合住宅の間取り構造１と、複数の洋室Ｙ１、Ｙ２、Ｙ３、Ｙ４と、サブバルコニーＢ２などと、を備えている。
【００１６】
また、本考案において、図１に示された矢印Ｓ方向は、リビング・ダイニングＬＤが位置する南方を示し、矢印Ｎ方向は、前記矢印Ｓ方向と反対方向である北方を示し、矢印Ｗ方向は、前記リビング・ダイニングＬＤに対してキッチンＫが位置する西方を示し、矢印Ｅ方向は、前記矢印Ｗ方向と反対方向であり、前記キッチンＫに対して後述する洋室Ｙ１、Ｙ２、Ｙ３が位置する東方を示している。
【００１７】
上記住宅１は、建物の構造体となる鉄骨柱などの一対の支持柱１Ａと、各支持柱１Ａに支持される一対の躯体壁１Ｂ、１Ｃ間に設けられている。上記一対の躯体壁１Ｂ、１Ｃのうち、躯体壁１Ｂは、西方（矢印Ｗ方向）に位置し、躯体壁１Ｃは、前記躯体壁１Ｂの東方（矢印Ｅ方向）に位置している。また、躯体壁１Ｂの前記キッチンＫから離れた側（西方）には、隣宅が設けられている。躯体壁１Ｂは、請求項の範囲に示された「躯体壁」である。また、住宅１は、前記一対の支持柱１Ａ間が短手方向となるように設けられており、当該住宅１の南方（矢印Ｓ方向）にリビング・ダイニングＬＤが位置している。
【００１８】
上記メインバルコニーＢ１は、住宅１の南方（矢印Ｓ方向）に位置し、太陽光が差し込むように形成されている。また、このメインバルコニーＢ１は、前記一対の躯体壁１Ｂ、１Ｃを連結する連結外壁１Ｄの外側に設けられており、かつ、前記連結外壁１Ｄの内側（奥側）には、リビング・ダイニングＬＤが設けられている。このメインバルコニーＢ１は、請求項の範囲に示された「バルコニー」に相当する。
【００１９】
上記リビング・ダイニングＬＤは、前記メインバルコニーＢ１に面する位置に設けられている。また、リビング・ダイニングＬＤと、前記メインバルコニーＢ１との間に設けられた前記連結外壁１Ｄには、南方（矢印Ｓ方向）に開口する、開口部としての窓Ｗ１が設けられている。さらに、リビング・ダイニングＬＤには、東方（矢印Ｅ方向）に開口する複数の窓Ｗ２が設けられている。これら複数の窓Ｗ１、Ｗ２が設けられていることで、リビング・ダイニングＬＤは、通風や採光を確保している。また、リビング・ダイニングＬＤの一角には、キッチンＫが設けられている。
【００２０】
上記キッチンＫは、前記リビング・ダイニングＬＤに並設されている（即ち、キッチンＫとリビング・ダイニングＬＤとは、前記短手方向に沿って並ぶ位置に設けられている）とともに、前記リビング・ダイニングＬＤから前記メインバルコニーＢ１側（南方）に張り出している（突出している）。また、キッチンＫは、前記リビング・ダイニングＬＤの西方（矢印Ｗ方向）に設けられている。また、前記キッチンＫの前記リビング・ダイニングＬＤから張り出した複数の外壁１Ｅ、１Ｆそれぞれには、開口部としての窓Ｗ３、Ｗ４が設けられている。上記窓Ｗ３は、外壁１Ｅに形成され、南方（矢印Ｓ方向）に開口している。また、上記窓Ｗ４は、外壁１Ｆに形成され、東方（矢印Ｅ方向）に開口している。また、窓Ｗ３が設けられた外壁１Ｅの内側に面した位置には、調理スペースとしてのシンクＳが設けられている。この外壁１Ｅ、１Ｆは、請求項の範囲に示された「複数の壁」に相当し、複数の窓Ｗ３、Ｗ４は、請求項の範囲に示された「開口部」に相当する。
【００２１】
上記複数の洋室Ｙ１、Ｙ２、Ｙ３、Ｙ４は、前記リビング・ダイニングＬＤの奥側、即ち、北方（矢印Ｎ方向）に設けられ、複数の洋室Ｙ１、Ｙ２、Ｙ３、Ｙ４のうち、複数の洋室Ｙ１、Ｙ２、Ｙ３は、東方（矢印Ｅ方向）に設けられ、残る洋室Ｙ４は、複数の洋室Ｙ１、Ｙ２、Ｙ３の西方（矢印Ｗ方向）に設けられている。
【００２２】
上記複数の洋室Ｙ１、Ｙ２、Ｙ３のうち、洋室Ｙ３は、前記リビング・ダイニングＬＤの北方（矢印Ｎ方向）に隣接する位置に設けられ、洋室Ｙ２は、前記洋室Ｙ３の北方（矢印Ｎ方向）に隣接する位置に設けられ、洋室Ｙ１は、前記洋室Ｙ２の北方（矢印Ｎ方向）に隣接する位置に設けられており、これら複数のＹ１、Ｙ２、Ｙ３は、住宅１の長手方向に沿って並設されている。また、洋室Ｙ３は、複数の洋室Ｙ１、Ｙ２よりも前記短手方向に沿う寸法が小さく形成されており、当該洋室Ｙ３は、複数の洋室Ｙ１、Ｙ２よりも前記短手方向の奥側に設けられている。また、これら複数の洋室Ｙ１、Ｙ２、Ｙ３の東方（矢印Ｅ方向）には、前記躯体壁１Ｃを介してサブバルコニーＢ２が設けられている。上記サブバルコニーＢ２は、洋室Ｙ１から洋室Ｙ３に亘って設けられている。また、前記躯体壁１Ｃには、東方（矢印Ｅ方向）に開口するとともに、各洋室Ｙ１、Ｙ２、Ｙ３とサブバルコニーＢ２と、を連通する複数の窓Ｗ５、Ｗ６、Ｗ７が設けられている。
【００２３】
上記廊下Ｐは、前記複数の洋室Ｙ１、Ｙ２、Ｙ３と、洋室Ｙ４との間に設けられ、当該複数の洋室Ｙ１、Ｙ２、Ｙ３が並ぶ方向(前記長手方向)に沿って直線状に設けられている。また、廊下Ｐの長手方向の一端には、前記リビング・ダイニングＬＤが設けられ、他端には、住宅１に進入するための玄関Ｅが設けられている。この廊下Ｐは、各洋室Ｙ１、Ｙ２、Ｙ３、Ｙ４と、リビング・ダイニングＬＤと、後述する洗面室Ｒ、トイレＴと、を行き来するために設けられている。
【００２４】
上記洗面室Ｒは、前記洋室Ｙ４の奥側、即ち、北方（矢印Ｎ方向）に隣接する位置に設けられている。また、洗面室Ｒの奥側、即ち、北方（矢印Ｎ方向）に隣接する位置には、バスルームＢｈ及びトイレＴが設けられている。
【００２５】
上記トイレＴは、前記バスルームＢｈと、前記廊下Ｐとの間に設けられている。
【００２６】
上述した実施形態によれば、バルコニーとしてのメインバルコニーＢ１に面したリビング・ダイニングＬＤと、前記メインバルコニーＢ１に面するように前記リビング・ダイニングＬＤに並設されているとともに、前記リビング・ダイニングＬＤから前記メインバルコニーＢ１側に張り出したキッチンＫと、を備えた集合住宅の間取り構造１であって、前記キッチンＫの前記リビング・ダイニングＬＤから離れた側の隣宅との間には、躯体壁１Ｂが設けられ、前記躯体壁１Ｂに連続し、前記キッチンＫの前記リビング・ダイニングＬＤから張り出した複数の壁としての外壁１Ｅ、１Ｆそれぞれには、開口部としての窓Ｗ３、Ｗ４が設けられていることで、前記キッチンＫの通気性と、採光性と、開放性と、を確保することができるとともに、当該キッチンＫに隣接するリビング・ダイニングＬＤへの熱・臭気の流出の軽減を図ることができる。
【００２７】
また、前記複数の外壁１Ｅ、１Ｆのうち少なくとも一つの外壁１Ｅに面した位置に、調理スペースとしてのシンクＳが設けられているので、前記シンクＳを使用する使用者の正面に前記窓Ｗ３が設けられていることとなり、よって、前記使用者が快適に前記キッチンＫを使用することができる。
【００２８】
なお、上述した実施形態によれば、集合住宅の間取り構造１は、前記躯体壁１Ｂに連続し、前記キッチンＫの前記リビング・ダイニングＬＤから張り出した複数の壁としての外壁１Ｅ、１Ｆが設けられているが、本考案はこれに限ったものではなく、集合住宅の間取り構造１には、躯体壁１Ｂに連続する３つ以上の（外）壁が設けられていてもよく、前記躯体壁１Ｂに連続する３つ以上の（外）壁それぞれには、少なくとも２つ（２つ以上の）の開口部としての窓Ｗ３、Ｗ４が設けられていればよい。
【００２９】
また、上述した実施形態によれば、住宅１は、前記キッチンＫの前記リビング・ダイニングＬＤから離れた側（西方）に隣宅が設けられた、角部屋であるが、本考案はこれに限ったものではなく、住宅１は、当該住宅１の短手方向の両端の隣宅間に設けられていてもよい（即ち、住宅１は、角部屋でなくてもよい）。
【００３０】
また、上述した実施形態によれば、調理スペースとしてのシンクＳが設けられているが、本考案はこれに限ったものではなく、調理スペースとしてのコンロであってもよく、種々の調理器具であってもよい。
【００３１】
また、上述した実施形態によれば、調理スペースが、前記複数の壁としての外壁１Ｅ、１Ｆのうち少なくとも一つの外壁１Ｅに面した位置に設けられているが、本考案はこれに限ったものではなく、調理スペースが、前記複数の壁としての外壁１Ｅ、１Ｆのうち、外壁１Ｆに面した位置に設けられていてもよく、調理スペースが、前記複数の壁としての外壁１Ｅ、１Ｆの双方に面した位置に設けられていてもよい。
【００３２】
また、上述した実施形態は本考案の代表的な形態を示したに過ぎず、本考案は、実施形態に限定されるものではない。即ち、本考案の骨子を逸脱しない範囲で種々変形して実施することができる。
【符号の説明】
【００３３】
１  集合住宅の間取り構造
１Ｂ  躯体壁
１Ｅ  複数の外壁（壁）
１Ｆ  複数の外壁（壁）
Ｂ１  メインバルコニー（バルコニー）
ＬＤ  リビング・ダイニング
Ｋ  キッチン
Ｓ  シンク（調理スペース）
Ｗ３  窓（開口部）
Ｗ４  窓（開口部）
【図１】
0003163741.tif 000003
【図２】
0003163741.tif 000004
【図３】
0003163741.tif 000005
【図４】
0003163741.tif 000006